(57)【要約】【課題】構造上複雑になり難く、且つ、意匠性を確保しながら、十分な採光機能及び通気機能を有するドアを提供する。【解決手段】ドア１は、ドア本体２と、縦長で透光性を有する採光パネル３を備える。ドア本体２に、その厚み方向に貫通する縦長の通気開口部２０が設けられる。通気開口部２０に採光パネル３が通気開口部２０を閉じる閉位置と通気開口部２０を開く開位置との間で縦軸回りに回動自在に設けられる。採光パネル３は、透光板３０と、透光板３０の四周を囲んで保持する左右の縦枠材５０及び上下の横枠材５１と、で構成される。上下の横枠材５１が、左右の縦枠材５０の上端部間及び下端部間に架け渡される。【選択図】図１
2018053716.tif 000002
【特許請求の範囲】
【請求項１】
ドア本体と、縦長で透光性を有する採光パネルを備え、前記ドア本体にその厚み方向に貫通する縦長の通気開口部が設けられ、この通気開口部に前記採光パネルが前記通気開口部を閉じる閉位置と前記通気開口部を開く開位置との間で縦軸回りに回動自在に設けられたドアであって、前記採光パネルは、透光板と、この透光板の四周を囲んで保持する左右の縦枠材及び上下の横枠材と、で構成されており、前記上下の横枠材が、前記左右の縦枠材の上端部間及び下端部間に架け渡されていることを特徴とするドア。
【請求項２】
前記左右の縦枠材は金属製であることを特徴とする請求項１に記載のドア。
【請求項３】
前記左右の縦枠材には、ビスポケットが上下方向に亘って形成され、前記上下の横枠材には、その長さ方向の両端部に上下に貫通するビス用孔が形成されており、前記ビス用孔に挿通されるビスが前記ビスポケットの上下両端部にねじ込まれて、前記上下の横枠材が前記左右の縦枠材に取り付けられていることを特徴とする請求項１又は請求項２に記載のドア。
【請求項４】
前記上下の横枠材の中間部には、前記透光パネルの回動軸となる軸部が形成されていることを特徴とする請求項１〜３のいずれか１項に記載のドア。
【発明の詳細な説明】
【技術分野】
【０００１】
本発明は採光機能を有するドアに関する。
【背景技術】
【０００２】
特許文献１には、ドア本体に形成された開口部に透光性を有するパネルを装着して、採光機能を付与したドアが開示されている。
【先行技術文献】
【特許文献】
【０００３】
【特許文献１】特開２００９−２６４０７４号公報
【発明の概要】
【発明が解決しようとする課題】
【０００４】
ところで、特許文献１に開示されたドアは、パネルとこのパネルが配置される開口部の側面に設けられたエッジ部材との間に通気路が形成されている。しかし、通気路だけでは十分な通気機能を確保し難く、部屋を十分に換気するには、ドアを開いて建物開口部を開放する必要がある。しかし、このようにドアを開くと、外部から建物開口部を通して部屋の広い範囲が見えやすくなる。このため、リビングや寝室等、私的な部屋を見られることに抵抗のある人等は、不快に感じる可能性がある。
【０００５】
ここで、ドアに前記パネルに加えてルーバーを設けることで、ドアに採光機能と通気機能を付与することが考えられる。しかし、この場合は、ドアをシンプルな外観とすることが難しく、また、構造上複雑になる恐れがある。また、パネルとルーバーの両者を限られた大きさのドアに設ける必要があるため、ドアの意匠性を確保しながら、十分な採光量と十分な通気量を確保することも難しい。
【０００６】
そこで、本発明は、構造上複雑になり難く、且つ、意匠性を確保しながら、十分な採光機能及び通気機能を有するドアを提供することを目的とする。
【課題を解決するための手段】
【０００７】
本発明のドアは、ドア本体と、縦長で透光性を有する採光パネルを備えている。前記ドア本体には、その厚み方向に貫通する縦長の通気開口部が設けられる。この通気開口部に前記採光パネルが前記通気開口部を閉じる閉位置と前記通気開口部を開く開位置との間で縦軸回りに回動自在に設けられる。前記採光パネルは、透光板と、この透光板の四周を囲んで保持する左右の縦枠材及び上下の横枠材と、で構成されている。前記上下の横枠材が、前記左右の縦枠材の上端部間及び下端部間に架け渡されている。
【０００８】
また、前記左右の縦枠材は金属製であることが好ましい。
【０００９】
また、前記ドアは以下に示す構成を有することが好ましい。前記左右の縦枠材には、ビスポケットが上下方向に亘って形成されている。前記上下の横枠材には、その長さ方向の両端部に上下に貫通するビス用孔が形成されている。前記ビス用孔に挿通されるビスが前記ビスポケットの上下両端部にねじ込まれて、前記上下の横枠材が前記左右の縦枠材に取り付けられている。
【００１０】
また、前記上下の横枠材の中間部には、前記透光パネルの回動軸となる軸部が形成されることが好ましい。
【発明の効果】
【００１１】
本発明に係るドアは、採光パネルを透して、部屋に光をとり入れることができる。また、利用者は、採光パネルを開位置に配置することで、通気開口部を通して部屋の換気を行うことができ、採光パネルを閉位置に配置することで、通気開口部を塞ぐことができる。すなわち、本発明に係るドアは、透光性を有する採光パネルを通気開口部を開閉する部材として用いたことにより、通気機能と採光機能の両者を有している。このため、通気機能と採光機能の両機能を確保しながら、外観をシンプルにすることができ、また、構造を簡単にすることができる。
【図面の簡単な説明】
【００１２】
【図１】本発明の第一実施形態のドアの採光パネル部分における水平断面図であり、（ａ）は採光パネルが閉位置に配置された状態を示し、（ｂ）は採光パネルが開位置に配置された状態を示している。
【図２】同上のドアの正面図である。
【図３】同上のドアの要部斜視図である。
【図４】同上のドアの分解斜視図である。
【図５】図４の拡大図である。
【図６】同上の上側の軸受ユニットの斜視図である。
【図７】同上の軸受ユニットの分解斜視図である。
【図８】同上の軸受ユニットの動作を示す説明図であり、（ａ）は採光パネルが閉位置に配置されたときの状態を示し、（ｂ）は採光パネルが閉位置と開位置の間に配置されたときの状態を示し、（ｃ）は採光パネルが開位置に配置されたときの状態を示している。
【図９】第二実施形態のドアの正面図である。
【図１０】同上のドアの分解斜視図である。
【図１１】同上のドアの上端部を示す斜視図である。
【図１２】同上のドアの中間連結材を示す斜視図である。
【図１３】同上のドアの固定具、軸受ユニット、及びパネルユニットの分解斜視図である。
【図１４】同上のドアの採光パネルの斜視図である。
【図１５】同上のドアの横枠材を示す斜視図である。
【図１６】同上のドアの固定具を取り付ける前の様子を示した斜視図である。
【図１７】同上のドアの採光パネルの下端部及びその近傍部分を示し、（ａ）は採光パネルを閉位置に配置した状態を示す斜視図であり、（ｂ）は採光パネルを開位置に配置した状態を示す斜視図である。
【図１８】同上のドアの採光パネル部分における水平断面図であり、（ａ）は採光パネルが閉位置に配置された状態を示し、（ｂ）は採光パネルが開位置に配置された状態を示している。
【図１９】同上のドアの遮蔽部近傍における水平断面図である。
【図２０】第三実施形態のドアの遮蔽部部分における水平断面図である。
【図２１】第四実施形態のドアの通気開口部における水平断面図である。
【図２２】第五実施形態の採光パネルの斜視図である。
【図２３】同上の採光パネルを備えたドアの採光パネル部分における水平断面図であり、（ａ）は採光パネルが閉位置に配置された状態を示し、（ｂ）は採光パネルが開位置に配置された状態を示している。
【図２４】第六実施形態のドアの正面図である。
【図２５】同上のドアの通気開口部における水平断面図である。
【図２６】同上のドアのパネルユニットの正面図である。
【図２７】同上のドアに設けられる一例の機構部を示す斜視図である。
【図２８】同上のドアに設けられる他例の機構部を示す斜視図である。
【発明を実施するための形態】
【００１３】
以下、添付図面に基づいて本発明の実施形態につき説明する。
【００１４】
（第一実施形態）
図２は本実施形態のドア１の正面図である。ドア１は、建物内に設けられる室内ドアであって、部屋の出入口を開閉するために建物の内部を仕切る建具として用いられる。具体的に、ドア１は、図示しないドア枠により構成された建物開口部に回動自在に設けられる開き戸である。なお、以下では、ドア１の厚み方向を前後方向、幅方向を左右方向として説明する。
【００１５】
ドア１には開通方向を前後方向とした通気開口部２０が形成されている。通気開口部２０には換気装置４が設けられている。具体的にドア１はドア本体２を備えている。ドア本体２の戸先側には、縦長の通気開口部２０がドア本体２の上下方向の略全長に亘るように上下に２つ並べて形成されている。各通気開口部２０には、換気装置４が設けられている。
【００１６】
各換気装置４は、採光パネル３と、採光パネル３に作用する機構部（軸受ユニット９（図４参照））を備えている。各換気装置４の採光パネル３は縦長であり、通気開口部２０に設けられている。各採光パネル３は、対応する通気開口部２０を開閉することができるように、ドア本体２に対して回動自在に設けられている。上下の採光パネル３のうちの一方の採光パネル３を選択的に開くことで、プライベート性を確保しながら通気が行えるようになっている。
【００１７】
各採光パネル３は、図１（ａ）に示される閉位置から、図１（ｂ）に示される開位置までの範囲で回動できるように、ドア本体２に縦軸回りに回動自在に取り付けられている。ここで、縦軸回りとは、採光パネル３の回動軸方向が縦方向（上下方向）と平行であることを意味する。なお、以下の説明では、特に記載する場合を除き、図１（ａ）に示されるように、採光パネル３が通気開口部２０を閉じる閉位置に配置されたときの方向を基準にして説明する。すなわち、採光パネル３の厚み方向を前後方向とし、採光パネル３の幅方向を左右方向として説明する。
【００１８】
各採光パネル３の上下長さは、対応する通気開口部２０の上下長さと略同じである。各採光パネル３の厚みは、ドア本体２の厚みよりも小さい。各採光パネル３の幅は、対応する通気開口部２０の幅よりもやや小さい。
【００１９】
各採光パネル３は、図５に示されるように、透光性を有する縦長平板状の透光板３０と、透光板３０の四周を囲んで保持したパネル枠５とで構成されている。なお、前記透光性を有する透光板３０とは、透明なものだけに限られず、磨りガラス等の半透明あるいは不透明なものも含まれる。
【００２０】
各採光パネル３の透光板３０は、ガラス板で構成されている。詳しくは、透光板３０は、二枚の板ガラスが合成樹脂膜を介して接着された合わせガラスである。合わせガラスは、帯電性が低い。このため、採光パネル３には、埃やごみ等が付き難くなっている。
【００２１】
各採光パネル３の透光板３０は、縦長矩形状に形成されている。また、各採光パネル３の透光板３０は、図１に示されるようにその水平断面形状が横に長い矩形状に形成されている。
【００２２】
各採光パネル３のパネル枠５は、図５に示されるように、左右の縦枠材５０及び上下の横枠材５１で構成されている。左右の縦枠材５０及び上下の横枠材５１は、縦長矩形状に枠組みされている。
【００２３】
各縦枠材５０は、採光パネル３の側縁部を構成している。各縦枠材５０は、金属製であって、例えばアルミニウム製である。縦長の各縦枠材５０の長さは、透光板３０の長さと略同じである。
【００２４】
各縦枠材５０の水平断面形状は、上下方向に亘って一様である。各縦枠材５０は、図１（ａ）に示されるように水平断面形状が透光板３０側に開口した溝状（略Ｃ字状）に形成されている。各縦枠材５０は、溝奥部を構成する主部５００と、主部５００の前後両端部から透光板３０側に突出した縁部５０１で構成されている。
【００２５】
各縦枠材５０の他方の縦枠材５０側の面である内側面には、他方の縦枠材５０側に開口した縦溝部５０２が上下方向に亘って形成されている。各縦枠材５０の縦溝部５０２は、溝奥部が主部５００の他方の縦枠材５０側の面で構成され、溝側面が両縁部５０１の対向面で構成されている。各縦枠材５０は、縦溝部５０２に透光板３０の側端部を嵌め込むことで、透光板３０に嵌め付けられている。
【００２６】
各縦枠材５０の主部５００の厚み（前後寸法）は、透光板３０側から離れる程小さくなっている。主部５００の表面部となる前面部及び後面部は、透光板３０側から離れる程互いに近づくように傾斜した傾斜面部５０３となっている。各縦枠材５０の前後の縁部５０１の表面部分５０４は、縦溝部５０２の溝幅方向（前後方向）に対して直交している。
【００２７】
各縦枠材５０が透光板３０に嵌め付けられた状態では、各縦枠材５０の前後の縁部５０１の表面部分５０４は、透光板３０の前後両面と平行になる。各採光パネル３は、図１（ｂ）に示される開位置に配置されたとき、ドア本体２の幅方向に対して傾斜する。このとき、戸先側の縦枠材５０の前側の傾斜面部５０３は、ドア本体２の前面と平行になり、また、ドア本体２の前面と前後方向において同じ位置に配置される（面一になる）。また、吊元側の縦枠材５０の後側の傾斜面部５０３は、ドア本体２の後面と平行になり、また、ドア本体２の後面と前後方向において同じ位置に配置される。
【００２８】
各縦枠材５０の上端部及び下端部には、ビスねじ込み部が形成されている。本実施形態では、縦溝部５０２の溝奥面に水平断面Ｃ字状のビスポケット５０５が上下方向に亘って形成されている。そして、ビスポケット５０５の上下両端部によって、前記ビスねじ込み部が構成されている。
【００２９】
図５に示されるように、横長の横枠材５１は、両縦枠材５０の上端部間及び下端部間に架け渡されている。各横枠材５１の長さ方向の両端部には、上下に貫通するビス用孔（不図示）が形成されている。各横枠材５１には、透光板３０側に開口した横溝部（不図示）
が左右方向に亘って形成されている。
【００３０】
各横枠材５１は、前記横溝部に透光板３０の長手方向の端部を嵌め込むことで、透光板３０に嵌め付けられている。各横枠材５１の前記各ビス用孔には、上下方向における透光板３０側とは反対側からビス５２が通されている。これらビス５２は、対応する縦枠材５０の前記ビスねじ込み部にねじ込まれている。これにより、各横枠材５１は、両縦枠材５０に取り付けられている。つまり、透光板３０は、左右両端部がパネル枠５の縦溝部５０２に嵌め込まれ、上下両端部がパネル枠５の前記横溝部に嵌め込まれている。また、透光板３０は、左右の縦枠材５０で挟まれ且つ上下の横枠材５１で挟まれることで、パネル枠５に保持されている。
【００３１】
上下の横枠材５１の透光板３０と反対側の外面における横枠材５１の長手方向の中間部には、透光板３０と反対側に突出した軸部５１０が形成されている。これら軸部５１０は、その軸心が透光板３０の水平断面における中心を通る中心線と一致して採光パネル３の回動軸を構成している。すなわち、これら軸部５１０は、ドア本体２に対して縦軸回りに回動自在に支持される被支持部として機能する。
【００３２】
各採光パネル３は、上下の軸部５１０が通気開口部２０の上下に設けられた軸受部で回動自在に支持されることで、ドア本体２に対して縦軸回りに回動自在に取り付けられている。
【００３３】
ドア本体２は、図４に示される、左右のドア材６と、両ドア材６を連結する連結材７とで構成されている。
【００３４】
両ドア材６は縦長の矩形板状に形成されている。戸先側のドア材６は、ドア本体２の戸先側の端部を構成している。吊元側のドア材６は、戸先側のドア材６よりも幅が広く、ドア本体２の過半部（戸先側部分を除く部分）を構成している。
【００３５】
両ドア材６は、図２に示されるように、互いの上端部、下端部、及び中間部が横長の連結材７によって連結されている。これにより、ドア本体２には、縦長矩形状の通気開口部２０が２つ形成されている。以下、特に区別する場合には、上側の連結材７、下側の連結材７、及びその間の連結材７を夫々、上連結材７０、下連結材７１、及び中間連結材７２と記載する。
【００３６】
上側の通気開口部２０の上縁部は上連結材７０で構成され、上側の通気開口部２０の下縁部は中間連結材７２で構成されている。上側の通気開口部２０の左右の縁部は、左右のドア材６で構成されている。すなわち、上側の通気開口部２０の内側空間は、上連結材７０、中間連結材７２、及び左右のドア材６の上部で囲まれている。
【００３７】
下側の通気開口部２０の上縁部は中間連結材７２で構成され、下側の通気開口部２０の下縁部は下連結材７１で構成されている。下側の通気開口部２０の左右の縁部は、左右のドア材６で構成されている。すなわち、下側の通気開口部２０の内側空間は、中間連結材７２、下連結材７１、及び左右のドア材６の下部で囲まれている。
【００３８】
両ドア材６は、いわゆるフラッシュ構造を有する板状のパネル材である。すなわち、両ドア材６は、図１に示されるように芯材６４の表面を表面材６５で被覆したものである。各ドア材６の芯材６４は木製であり、正面視矩形状の枠体で構成されている。
【００３９】
各ドア材６の表面材６５は、板材６５０と、板材６５０の表面に積層された化粧シート６５１を備えている。化粧シート６５１は、合成樹脂製でその表面には木目模様が施されている。各ドア材６の表面材６５の板材６５０の裏面には、折曲溝が形成されている。各ドア材６の表面材６５は、前記折曲溝を境にして折り曲げることで、芯材６４の外周面に沿って設けられている。
【００４０】
各ドア材６の上下両端面には、図５に示されるように、他方のドア材６側に開口する嵌込溝部６２が形成されている。嵌込溝部６２は、図３に示されるように、上連結材７０や下連結材７１を嵌め込む部分となる。
【００４１】
各ドア材６の他方のドア材６側の側面には、縦長の凹溝部６３（図１参照）が形成されている。各凹溝部６３は、ドア材６の嵌込溝部６２が形成された上下両端部を除く部分に亘って形成されている。各凹溝部６３は、ドア材６の厚み方向における中間部に形成されている。
【００４２】
図５に示された中間連結材７２は、無垢材、あるいは、ドア材６と同様のパネル材等で形成されている。中間連結材７２の両側端面には、ダボ７２０が複数設けられている。図示例では、中間連結材７２の両側端面の上下に、ダボ７２０が設けられている。
【００４３】
中間連結材７２の両側端部は、凹溝部６３の長さ方向の中間部に形成された幅広の凹所６３０に嵌め込まれている。中間連結材７２の各ダボ７２０は、対応する凹所６３０の奥部に形成されたダボ穴（不図示）に嵌め込まれている。これにより、両ドア材６の上下方向の中間部同士が中間連結材７２によって連結されている。
【００４４】
図１（ａ）に示されるように、各通気開口部２０の両側面には、縁隠し材８が取り付けられている。各縁隠し材８は、対応する通気開口部２０の上下方向の全長に亘っている。各縁隠し材８は合成樹脂製である。各縁隠し材８の表面には木目模様が施されている。なお、各縁隠し材８は、合成樹脂製に限られず、例えば木製であってもよい。
【００４５】
各縁隠し材８の水平断面形状は、上下方向に亘って一様である。各縁隠し材８は、幅方向の一端部を凹溝部６３に嵌め込んで接着することにより、ドア材６に取り付けられている。
【００４６】
各縁隠し材８の厚みは、採光パネル３（パネル枠５）の厚みと略同じで且つドア本体２（ドア材６）の厚みよりも小さくなっている。各縁隠し材８は、ドア本体２の厚みの範囲内に納められている。このようにすることで、縁隠し材８を小さくし、通気開口部２０を開いたときに縁隠し材８を通気の邪魔になり難いものにすることができる。各縁隠し材８の厚みは、十分な通気量を確保するため、ドア本体２の厚みの１／２以下とすることが好ましい。
【００４７】
各通気開口部２０の両側の縁隠し材８は、ドア本体２の厚み方向における中間部に位置し、互いに対向している。
【００４８】
各縁隠し材８の凹溝部６３と反対側の部分は、通気開口部２０の側面から通気開口部２０の幅方向における内側に向かって突出している。各縁隠し材８には、採光パネル３側に突出した突出部８０が形成されている。
【００４９】
各通気開口部２０の両側の縁隠し材８のうち、戸先側の縁隠し材８の突出部８０は、縁隠し材８の後部から採光パネル３側に向かって突出している。他方、吊元側の縁隠し材８の突出部８０は、縁隠し材８の前部から採光パネル３側に向かって突出している。
【００５０】
図１（ａ）に示されるように、閉位置に配置された採光パネル３は、ドア本体２の幅方向（ドア材６の幅方向）と平行になる。このとき、両縦枠材５０は、対応する縁隠し材８の突出部８０の突端部と前後方向から見て重なる。これにより、通気開口部２０の戸先側の側面と採光パネル３の間の隙間は、戸先側の縁隠し材８によって塞がれる。また、通気開口部２０の吊元側の側面と採光パネル３の間の隙間は、吊元側の縁隠し材８によって塞がれる。従って、この場合は、通気開口部２０の略全体が採光パネル３で閉塞されることとなり、通気開口部２０による部屋の換気は行われない。また、このように採光パネル３が閉じられた状態にあるときには、ドア１を前後方向から見たときに、通気開口部２０を通してドア１の反対側が見え難くなる。
【００５１】
各通気開口部２０の両側の縁隠し材８のうち、戸先側の縁隠し材８の突出部８０の前面は、吊元側に行く程後方に位置するように傾斜した傾斜面８１になっている。また、吊元側の縁隠し材８の突出部８０の後面も、吊元側に行く程後方に位置するように傾斜した傾斜面８１になっている。戸先側の縁隠し材８の傾斜面８１と、吊元側の縁隠し材８の傾斜面８１は略平行である。
【００５２】
図１（ａ）に示されるように、各採光パネル３が閉位置に配置されたとき、採光パネル３の戸先側の縦枠材５０の後側の傾斜面部５０３は、戸先側の縁隠し材８の傾斜面８１と略平行になり、同傾斜面８１に対向して面接触する。また、吊元側の縦枠材５０の前側の傾斜面部５０３は、吊元側の縁隠し材８の傾斜面８１と略平行になり、この傾斜面８１に対向して面接触する。従って、各採光パネル３が閉位置に配置されたときには、採光パネル３と縁隠し材８の密着性を高めて、通気を確実に遮断することが可能になる。
【００５３】
中間連結材７２の上面及び下面の夫々の中央部には、図５に示されるように、挿入穴７２１が形成されている。上下の採光パネル３のうちの上側の採光パネル３は、下側の軸部５１０が中間連結材７２の上面に形成された挿入穴７２１に挿入されて回動自在に支持されている。また、図示は省略するが、下側の採光パネル３は、上側の軸部５１０が中間連結材７２の下面に形成された挿入穴に挿入されて回動自在に支持されている。すなわち、本実施形態では、中間連結材７２の上下の挿入穴７２１の周縁部によって、採光パネル３の中間連結材７２側の軸部５１０を受ける軸受部が構成されている。
【００５４】
上連結材７０及び下連結材７１は棒状あって、左右に長いフレーム材７３の外面部を、化粧シート材７４（幕板）で被覆したものである。
【００５５】
上連結材７０及び下連結材７１の夫々のフレーム材７３は、金属製である。具体的に、上連結材７０及び下連結材７１の夫々のフレーム材７３は、アルミニウム製の押出形材である。このように上連結材７０及び下連結材７１が金属製の形材を備えることで、上連結材７０及び下連結材７１の夫々の強度を高めることができる。
【００５６】
上連結材７０及び下連結材７１の夫々のフレーム材７３は、垂直断面形状が略矩形枠状に形成されている。
【００５７】
上連結材７０及び下連結材７１の夫々の化粧シート材７４は、合成樹脂製である。化粧シート材７４は、上連結材７０及び下連結材７１の夫々の前後面に取り付けられている。上連結材７０及び下連結材７１の夫々の化粧シート材７４の表面には、木目模様が施されている。このため、上連結材７０及び下連結材７１は、ドア材６に模した木目調の外観を有している。
【００５８】
ドア本体２には、ドア１の付加ユニットとして、採光パネル３に作用する機構部が設けられている。本実施形態の機構部は、図４に示された軸受ユニット９で構成されており、上連結材７０及び下連結材７１の夫々のフレーム材７３に内装されている。すなわち、軸受ユニット９は各通気開口部２０の開口縁部に設けられている。
【００５９】
上側の採光パネル３の上側の軸部５１０は、上連結材７０に設けられた軸受ユニット９に回動自在に支持されている。下側の採光パネル３の下側の軸部５１０は、下連結材７１に設けられた軸受ユニット９に回動自在に支持されている。
【００６０】
両軸受ユニット９は、上下対称である。図６及び図７には、上連結材７０に設けられる軸受ユニット９が図示されている。
【００６１】
各軸受ユニット９は、ケーシング９０、アーム９３、ダンパー９４、付勢部材９５（弾性体）、押圧体９６、及び可動体９７を備えている。図６に示されるように、アーム９３、ダンパー９４、付勢部材９５、押圧体９６、及び可動体９７は、ケーシング９０に内装されている。
【００６２】
軸受ユニット９の外殻となるケーシング９０は、左右に長い矩形箱状に形成されている。上側の軸受ユニット９のケーシング９０は、その長さ方向を上連結材７０の長さ方向と平行にして上連結材７０に内装されている。下側の軸受ユニット９のケーシング９０は、その長さ方向を下連結材７１の長さ方向と平行にして下連結材７１に内装されている。すなわち、各軸受ユニット９は、通気開口部２０の開口縁部に沿って設けられている。
【００６３】
ケーシング９０は、採光パネル３側の面部を構成する板状のベース９１と、採光パネル３側に開口した箱状でベース９１に被せ付けられるカバー９２とで構成されている。
【００６４】
図７に示されるように、ベース９１の内面には、略扇状（略三角形状）の凹部９１１が形成されている。凹部９１１の内周面の一部は、水平断面形状が戸先側に開いた略Ｖ字状となる回動規制面９１２を構成している。凹部９１１の底部における吊元側の端部（略Ｖ字状の回動規制面９１２の角部側の端部）には、ベース９１を上下に貫通する挿通孔９１０が形成されている。
【００６５】
図示は省略するが、上側の採光パネル３の上側の軸部５１０は、上連結材７０の下面部を通して上連結材７０内の軸受ユニット９の挿通孔９１０に挿通され、当該軸受ユニット９の凹部９１１内に突出している。これにより、当該軸部５１０は、上側の軸受ユニット９により回動自在に支持されている。
【００６６】
下側の採光パネル３の下側の軸部５１０は、下連結材７１の上面部を通して軸受ユニット９の挿通孔９１０に挿通され、当該軸受ユニット９の凹部９１１内に突出している。これにより、当該軸部５１０は、下側の軸受ユニット９により回動自在に支持されている。すなわち、本実施形態では、各軸受ユニット９の挿通孔９１０の周縁部によって、採光パネル３の中間連結材７２と反対側の軸部５１０を受ける軸受部が構成されている。
【００６７】
凹部９１１には、アーム９３が配置されている。アーム９３の長さ方向の一端部には、連結孔９３０が形成されている。連結孔９３０には、採光パネル３の中間連結材７２と反対側の軸部５１０が挿入され、当該軸部５１０はアーム９３に対して固定されている。これにより、アーム９３は、採光パネル３の軸部５１０と共に回動するようになっている。
【００６８】
アーム９３の回動範囲は、凹部９１１の回動規制面９１２によって規制される。採光パネル３は、回動規制面９１２によってドア本体２の厚みの範囲内に納まるように規制される。つまり、本実施形態では、軸受ユニット９の回動規制面９１２が、採光パネル３の回動範囲を規制する回動規制手段を構成している。
【００６９】
各採光パネル３が閉位置に配置されたとき、対応する軸受ユニット９のアーム９３は、図８（ａ）に示されるように回動規制面９１２の後側の面に当接し、後側に回動不能になる。このように閉位置に配置された採光パネル３は、図１（ａ）に示されるようにドア本体２の厚み方向の中心部に配置される。
【００７０】
各採光パネル３が開位置に配置されたとき、対応する軸受ユニット９のアーム９３は、図８（ｃ）に示されるように回動規制面９１２の前側の面に当接し、前側に回動不能になる。このように開位置に配置された採光パネル３は、図１（ｂ）に示されるように、ドア本体２の厚み方向の両端に位置する傾斜面部５０３のうち、前側に位置する一方の傾斜面部５０３が、ドア本体２の前面と前後方向において同位置に配置される。また、後側に位置する他方の傾斜面部５０３が、ドア本体２の後面と前後方向において同位置に配置される。また、開位置に配置された採光パネル３は、ドア本体２の厚みの範囲内に納められる。
【００７１】
図７に示されるように、各軸受ユニット９のアーム９３の連結孔９３０と反対側の端部には、上下方向における採光パネル３と反対側に突出した連動部９３１が設けられている。各軸受ユニット９の連動部９３１は、採光パネル３の回動中心よりも戸先側にずれた位置に配置されている。各軸受ユニット９の連動部９３１は、軸方向が上下方向と平行な円筒状に形成されている。各軸受ユニット９の連動部９３１は、水平断面円形の外周面を有している。
【００７２】
各軸受ユニット９の連動部９３１は、対応する採光パネル３が縦軸回りに回動したとき、軸部５１０を中心にしてアーム９３と共に縦軸回りに回動する。具体的には、各軸受ユニット９の連動部９３１は、採光パネル３の開方向への回動時には前側に移動し、採光パネル３の閉方向への回動時には後側に移動する。
【００７３】
各軸受ユニット９の付勢部材９５は、図８に示されるように、連動部９３１の戸先側に配置されている。各軸受ユニット９の付勢部材９５は、左右方向（すなわち、通気開口部２０の開口縁部に沿う方向）に延びて伸縮方向が左右方向と平行なコイルばねで構成されている。
【００７４】
各軸受ユニット９の付勢部材９５の吊元側端部には、押圧体９６が取り付けられている。各軸受ユニット９の押圧体９６は、連動部９３１と左右方向において並べて配置されている。各軸受ユニット９の押圧体９６は、左右方向に移動自在に設けられている。各軸受ユニット９の付勢部材９５は、戸先側がカバー９２によって支持されている。各軸受ユニット９の付勢部材９５は、押圧体９６を常時吊元側（連動部９３１側）にばね付勢している（弾性力を付与している）。
【００７５】
各軸受ユニット９の押圧体９６の吊元側に臨む面は、連動部９３１を押圧する押圧面９６０を構成している。押圧面９６０は、第一面部９６１と第一面部９６１よりも前側に位置した第二面部９６２とを備えている。第一面部９６１は、後方程戸先側に位置するように傾斜している。第二面部９６２は、前方程戸先側に位置するように傾斜している。
【００７６】
押圧面９６０は、さらに、中間面部９６３を備えている。中間面部９６３は、水平断面形状が吊元側に凸となる弧状に形成されている。中間面部９６３は、第一面部９６１と第二面部９６２を連続させている。第一面部９６１は、第二面部９６２よりも前後方向の長さが長くなっている。中間面部９６３は、第一面部９６１、第二面部９６２、及び中間面部９６３で構成された押圧面９６０において前寄りの位置に形成されている。
【００７７】
各採光パネル３が閉位置に配置された状態では、図８（ａ）に示されるように、対応する軸受ユニット９のアーム９３の連動部９３１が第一面部９６１の後端部に当接する位置に配置される。この連動部９３１は、付勢部材９５により付勢された押圧体９６の第一面部９６１によって後側に押圧される。このため、アーム９３は、回動規制面９１２の後側の面に押し付けられ、採光パネル３は閉位置で保持される。
【００７８】
利用者が、閉位置に配置された採光パネル３を開き方向（平面視左回り）に回動させると、アーム９３は軸部５１０を中心にして前側に回動する。これに伴い、連動部９３１は押圧体９６を付勢部材９５の付勢力に抗して戸先側に押し込みながら前側に移動し、押圧体９６の中間面部９６３を乗り越える。そして、採光パネル３が開位置に配置された時点で、連動部９３１は図８（ｃ）に示されるように第二面部９６２に当接する位置に配置される。このように採光パネル３が開位置に配置された状態では、連動部９３１が付勢部材９５により吊元側に付勢された押圧体９６の第二面部９６２によって前側に押圧される。このため、アーム９３は回動規制面９１２の前側の面に押し付けられ、採光パネル３は開位置で保持された状態となる。
【００７９】
利用者が開位置に配置された採光パネル３を閉じ方向（平面視右回り）に回動させると、アーム９３は軸部５１０を中心にして後側に回動する。これに伴い、連動部９３１は押圧体９６を付勢部材９５の付勢力に抗して戸先側に押し込みながら後側に移動し、押圧体９６の中間面部９６３を乗り越える。そして、採光パネル３が所定開き角度まで閉じられた時点で、連動部９３１は第一面部９６１の前端部に当接する位置に至る。このように連動部９３１が第一面部９６１の前端部に当接すると、付勢部材９５によって吊元側に付勢された押圧体９６の第一面部９６１によって連動部９３１が後側に押し動かされ、アーム９３は軸部５１０を中心に後側に回動する。この付勢部材９５によるアーム９３の回動は、連動部９３１が第一面部９６１の後端部に至ってアーム９３が回動規制面９１２の後側の面に当接するまで、すなわち、採光パネル３が閉位置に配置されるまで行われる。つまり、所定開き角度まで閉じられた採光パネル３は、付勢部材９５の付勢力によって閉位置まで自動的に回動する。
【００８０】
ここで、押圧体９６、及び連動部９３１が設けられたアーム９３は、付勢部材９５のドア本体２の幅方向と平行な付勢力の向きを採光パネル３の回動方向の成分を含む向きに変換した上で、付勢部材９５の付勢力を採光パネル３に伝える付勢力伝達手段を構成する。このため、本実施形態のように付勢部材９５としてドア本体２の幅方向に長いコイルばね等を利用した場合に、付勢部材９５をドア本体２（連結材７）の厚みの範囲内に納めやすくなるといった利点がある。
【００８１】
各軸受ユニット９のダンパー９４は、連動部９３１の吊元側に配置されている。各軸受ユニット９のダンパー９４は、伸縮式のシリンダーダンパーである。詳しくは、各軸受ユニット９のダンパー９４は、ピストン９４０がシリンダー９４１側に押し込まれる方向に移動するときに減衰力を作用させ、且つピストン９４０が伸長状態となる原点に自動で復帰する自動復帰機能を備えたワンウェイ式のオイルダンパーある。
【００８２】
各軸受ユニット９のダンパー９４は、ピストン９４０を戸先側に向けて配置される。各軸受ユニット９のピストン９４０の先端部には、可動体９７が取り付けられている。各軸受ユニット９の可動体９７は、連動部９３１と左右方向において並べて配置されている。各軸受ユニット９の可動体９７の戸先側の面は、連動部９３１が当接する当接面９７０となっている。当接面９７０は、前方程吊元側に位置するように傾斜している。
【００８３】
採光パネル３が開位置に配置された状態では、図８（ｃ）に示されるように、ダンパー９４が伸長し、連動部９３１が可動体９７の当接面９７０の前端側に配置される。利用者が、開位置に配置された採光パネル３を閉位置まで回動させると、アーム９３の回動に伴って、連動部９３１が可動体９７を吊元側に押し込みながら当接面９７０の後端側に移動する。このとき、可動体９７と共に吊元側に移動するピストン９４０に対して減衰力が作用する。これにより採光パネル３の閉方向の回動動作がダンパー９４によって緩衝される。従って、採光パネル３が勢いよく閉じられて大きな音が発生したり、採光パネル３やこれを受ける部材が変形したり破損したりすることを防止することができる。また、採光パネル３が閉じられるときに、採光パネル３と通気開口部２０の側面の間に指等が強く挟まれることも防止することができる。
【００８４】
また、利用者が採光パネル３を開位置まで回動させると、アーム９３の回動に伴って、連動部９３１が前側に移動し、この際、可動体９７はダンパー９４の復帰力によって連動部９３１に追従して戸先側に移動し、図８（ｃ）に示す状態となる。
【００８５】
ここで、連動部９３１が設けられたアーム９３、及び可動体９７は、採光パネル３の回動動作をピストン９４０のドア本体２の幅方向と平行な動作に変換する動作変換手段を構成している。このため、本実施形態のようにダンパー９４としてドア本体２の幅方向に長いシリンダーダンパーを利用して、ダンパー９４をドア本体２（連結材７）の厚みの範囲内に納めやすくなるといった利点がある。
【００８６】
ドア本体２の上連結材７０及び下連結材７１は、図３に示されるように、左右両端部が対応するドア材６の嵌込溝部６２に嵌め込まれてねじ止めされている。上連結材７０の上面（採光パネル３と反対側の面）は、両側のドア材６の上面と略面一になっている。下連結材７１の下面（採光パネル３と反対側の面）は、両側のドア材６の下面と略面一になっている。
【００８７】
戸先側のドア材６の前後両面には、図２に示されるように、取手としてレバーハンドル１０（レバー型ドアノブ）が取り付けられている。各レバーハンドル１０は、ドア本体２の上下方向において両通気開口部２０の境界部となる中間連結材７２と同じ位置に配置されている。
【００８８】
各レバーハンドル１０は、レバー部１００を備えている。各レバーハンドル１０のレバー部１００は、非回動位置（非使用位置）から回動位置までの範囲で回動自在となっている。各レバーハンドル１０は、レバー部１００を回動位置まで回動することで、ドア１を開く際にドア本体２に設けられたラッチ（不図示）が操作されるように構成されている。また、各レバーハンドル１０は、例えばばね等で構成された付勢部材によってレバー部１００が回動位置から非回動位置に自動的に復帰するように構成されている。
【００８９】
各レバーハンドル１０のレバー部１００は、前記非回動位置に配置されたとき、吊元側に突出してドア１の幅方向と平行（水平）になる。また、このときレバー部１００の回動軸と反対側の先部は、前後方向において中間連結材７２と重なる位置に配置される。このため、ドア１を正面から見た場合には、レバー部１００の先部の後側に中間連結材７２が位置する。従って、レバーハンドル１０のレバー部１００で採光パネル３が隠れ難くなり、採光パネル３から光を十分量とり入れることが可能になる。
【００９０】
以上説明した本実施形態のドア１は、ドア本体２と、縦長で透光性を有する採光パネル３を備えている。ドア本体２には、その厚み方向に貫通する縦長の通気開口部２０が設けられている。そして、通気開口部２０に採光パネル３が通気開口部２０を閉じる閉位置と通気開口部２０を開く開位置との間で縦軸回りに回動自在に設けられている。
【００９１】
このドア１は、採光パネル３を透して、部屋に光をとり入れることができる。また、利用者は、採光パネル３を開位置に配置することで通気開口部２０を通して部屋の換気を行い、採光パネル３を閉位置に配置することで通気開口部２０を塞ぐことができる。すなわち、本実施形態のドア１は、透光性を有する採光パネル３を通気開口部２０を開閉する部材として用いることにより、通気機能と採光機能の両者を有することができる。このため、通気機能と採光機能の両機能を確保しながら、ドア１の外観をシンプルにすることができ、また、ドア１の構造を簡単にすることができる。
【００９２】
また、採光パネル３を縦軸回りに回動自在に設けたことで、横軸回りに回動自在に設けた場合と比較して、採光パネル３を開いた状態において採光パネル３の上方を向く面の面積が小さくなり、採光パネル３に埃やごみ等が付き難くなる。また、これにより採光パネル３を透して部屋に光を取り入れるときに、採光パネル３に積もった埃やごみ等が影となって映り難くなる。また、縦軸回りに回動自在な採光パネル３を縦長にすることにより、開位置に配置された採光パネル３と通気開口部２０の両側面の間に形成される通気用の空間を大きくして十分な通気量を確保することもできる。
【００９３】
また、通気開口部２０の側面には、本実施形態のように、通気開口部２０の幅方向内側に向けて突出して、その突端部がドア本体２の厚み方向から見て閉位置に配置された採光パネル３の側縁部と重なる縁隠し材８が取り付けられることが好ましい。このようにすることで、採光パネル３が閉位置に配置されたときに、採光パネル３と通気開口部２０の側面の間を縁隠し材８で覆って、通気開口部２０において空気を通り難くすることができる。
【００９４】
また、縁隠し材８は、本実施形態のようにドア本体２の厚み内に納められることが好ましい。このように、縁隠し材８をドア本体２の厚みの範囲内に納めることにより、縁隠し材８を目立ち難くすることができ、また、縁隠し材８を小さくして、材料コストを抑えることもできる。
【００９５】
また、本実施形態のように縁隠し材８が通気開口部２０の両側に設けられ、各縁隠し材８の採光パネル３側の側面に、ドア本体２の厚み方向における一端側から他端側に行く程通気開口部２０の幅方向一端側に位置する傾斜面８１が設けられることが好ましい。このように各縁隠し材８に傾斜面８１を設けることで、多少の組立誤差や寸法誤差等があった場合にも、採光パネル３が閉位置と開位置との間で回動するときに縁隠し材８に接触し難くすることができる。なお、各縁隠し材８には、傾斜面８１に代えてドア本体２の厚み方向における一端側から他端側に行く程通気開口部２０の幅方向一端側に位置するように湾曲した曲面が設けられても構わない。
【００９６】
（第二実施形態）
次に前記第一実施形態とは異なる第二実施形態について説明する。なお、以下の説明では、第一実施形態と共通の機能を有する構成については、第一実施形態と同じ名称及び同じ符号を用いて説明し、第一実施形態で説明した事項と重複する事項については説明を省略する。
【００９７】
図９には、本実施形態のドア１の正面図が示されている。本実施形態のドア１は、換気装置４が通気開口部２０を備えたパネルユニット４Ａで構成されている。これによりドア本体２に通気開口部２０が形成されている。
【００９８】
中間連結材７２は、図１２に示されるように、木製の板材７２２と、合成樹脂製の幕板材７２３とを備えている。板材７２２は、縦長矩形状に形成されている。幕板材７２３は、板材７２２の前後両面に取り付けられている。各幕板材７２３は、板材７２２の幅方向の両端部を除く部分を覆っている。各幕板材７２３の表面には、木目模様が施されている。このため、中間連結材７２は、ドア材６に模した木目調の外観を有している。
【００９９】
各幕板材７２３の上下両端部は、板材７２２よりも上下方向の外側に向かって突出している。これにより、中間連結材７２の上下両面には、板材７２２の端面と両幕板材７２３とで構成された左右方向に延びる凹部７２４が形成されている。
【０１００】
板材７２２の両側には、板材７２２の側端面から突出したダボ７２０が上下方向に複数設けられている。なお、本実施形態の中間連結材７２の板材７２２は、木製に限られず、金属製や合成樹脂製であってもよい。また、本実施形態の中間連結材７２は、板材７２２に幕板材７２３を取り付けたものに限られず、無垢材等であってもよい。
【０１０１】
板材７２２の両側端部は、対応するドア材６の凹溝部６３（図１０等参照）の長さ方向の中間部に嵌め込まれている。中間連結材７２の各ダボ７２０は、対応する凹溝部６３の溝奥部に形成されたダボ穴（不図示）に嵌め込まれている。これにより、図９に示されるように、両ドア材６の上下方向の中間部同士が、中間連結材７２によって連結されている。なお、本実施形態の凹溝部６３の溝幅は長さ方向に亘って一様であり、凹溝部６３には第一実施形態における凹所６３０は形成されていない。
【０１０２】
中間連結材７２の上方及び下方の夫々には、パネルユニット４Ａが設けられている。以下、特に区別する場合には、上下のパネルユニット４Ａのうち、上側のパネルユニット４Ａを上側パネルユニット４Ａと記載し、下側のパネルユニット４Ａを下側パネルユニット４Ａと記載する。
【０１０３】
図１０に示されるように、各パネルユニット４Ａは、縦長の枠体４０と、枠体４０の内側に配置されて、枠体４０に対して縦軸回りに回動自在に取り付けられた採光パネル３とを備えている。
【０１０４】
各採光パネル３の上下の横枠材５１は、図１５に示されるように、固定部５１１と遮蔽部５１２を備えている。
【０１０５】
各横枠材５１の固定部５１１は、上下方向において遮蔽部５１２よりも透光板３０側に位置している。各横枠材５１の固定部５１１は、透光板３０の幅方向に長い形状である。各横枠材５１の固定部５１１には、透光板３０側に開口する横溝部５１３が形成されている。横溝部５１３は、固定部５１１の長さ方向に延びており、固定部５１１の長さ方向の両端部を除く部分に亘って形成されている。
【０１０６】
各横枠材５１の横溝部５１３には、図１３に示されるように、透光板３０の長さ方向の端部が嵌め込まれている。各横枠材５１は、固定部５１１の長さ方向の両端部が対応する縦枠材５０にビス５２によって連結されている。
【０１０７】
各横枠材５１の遮蔽部５１２は、平面視で透光板３０の幅方向に対して傾斜する方向に延びた形状である。各横枠材５１の遮蔽部５１２は、その長さ方向の中間部が固定部５１１の長さ方向の中間部に対して一体に接続されている。これにより、各横枠材５１の遮蔽部５１２は、固定部５１１に対して移動不能になっている。
【０１０８】
図１５に示されるように、各横枠材５１の遮蔽部５１２の長さ方向の両端部は、固定部５１１の幅方向外側に向かって突出している。各横枠材５１の遮蔽部５１２と固定部５１１は、正面視における左右長さが略同じである。
【０１０９】
図１４に示されるように、採光パネル３において、上下方向の両端部に位置する遮蔽部５１２の間の部分、すなわち、透光板３０、両縦枠材５０、及び両横枠材５１の固定部５１１で構成された部分は、略縦長板状のパネル部３１を構成している。両遮蔽部５１２とパネル部３１（各横枠材５１の固定部５１１）は、採光パネル３を正面から見たときの左右長さが略同じである。
【０１１０】
図１７（ａ）に示されるように、採光パネル３が閉位置に配置されたとき、パネル部３１はドア本体２の幅方向と平行になる。これに対して、各横枠材５１の遮蔽部５１２は、戸先側が後方、吊元側が前方に位置するように、その長さ方向がドア本体２の幅方向に対して傾く。
【０１１１】
図１７（ｂ）に示されるように、採光パネル３が開位置に配置されたときには、各横枠材５１の遮蔽部５１２は、戸先側が前方、吊元側が後方に位置するように、その長さ方向がドア本体２の幅方向に対して傾く。また、採光パネル３のパネル部３１は、ドア本体２の幅方向に対して遮蔽部５１２よりもさらに大きく傾く。
【０１１２】
各横枠材５１の軸部５１０は、図１４に示されるように、遮蔽部５１２の長さ方向の中間部から、透光板３０と反対側に向かって突出している。
【０１１３】
図１０に示されるように、採光パネル３を囲む枠体４０は、上下の横枠４１と、左右の縦枠４２とで構成されている。本実施形態では、枠体４０の内側に形成された正面視縦長矩形状の開口部が、通気開口部２０を構成している。
【０１１４】
通気開口部２０の上縁部は上側の横枠４１で構成され、通気開口部２０の下縁部は下側の横枠４１で構成されている。また、通気開口部２０の左右の側縁部は、縦枠４２で構成されている。つまり、本実施形態の通気開口部２０は、両横枠４１と両縦枠４２とで構成されている。
【０１１５】
上側パネルユニット４Ａの上側の横枠４１は、左右のドア材６の上端部同士を連結する上連結材７０を構成している。下側パネルユニット４Ａの下側の横枠４１は、左右のドア材６の下端部同士を連結する下連結材７１を構成している。
【０１１６】
また、本実施形態では、各パネルユニット４Ａの縦枠４２で縁隠し材８が構成されている。上連結材７０及び下連結材７１（すなわち、各パネルユニット４Ａの中間連結材７２と反対側に位置する横枠４１）は、第一実施形態の上連結材７０及び下連結材７１と同様、フレーム材７３と化粧シート材７４を備えている。
【０１１７】
ただし、本実施形態の上連結材７０及び下連結材７１の夫々のフレーム材７３は、断面形状が採光パネル３と反対側に開口する溝形（略Ｕ字状）に形成されている。また、図示は省略するが、断面溝形のフレーム材７３の底部における長さ方向の中間部には、上下に貫通する軸部挿通孔が形成されている。
【０１１８】
本実施形態の上連結材７０及び下連結材７１の各化粧シート材７４は、図１０に示されるように、フレーム材７３の長さ方向の両端部を除く部分を覆っている。各化粧シート材７４は、上下方向においてフレーム材７３よりも採光パネル３側に向かって突出している。上連結材７０及び下連結材７１の夫々には、各化粧シート材７４の前記突出部分とフレーム材７３の底部で構成された、採光パネル３側に開口する凹部７２４が形成されている。
【０１１９】
なお、本実施形態における上連結材７０及び下連結材７１の夫々のフレーム材７３は、第一実施形態と同様、断面枠状の中空形材であってもよい。また、本実施形態における各パネルユニット４Ａの縦枠４２は、金属製に限られず、例えば合成樹脂製であってもよいし、木製であってもよい。
【０１２０】
上連結材７０の凹部７２４には、上側の採光パネル３の上側の遮蔽部５１２が挿入されている。下連結材７１の凹部７２４には、下側の採光パネル３の下側の遮蔽部５１２が挿入されている。これら遮蔽部５１２は、上下方向において、両化粧シート材７４の縁部よりも中間連結材７２側に僅かに突出している。
【０１２１】
図１３に示される上側の採光パネル３の上側の軸部５１０は、上連結材７０の前記軸部挿通孔に通されている。下側の採光パネル３の下側の軸部５１０は、下連結材７１の前記軸部挿通孔に通されている。これにより、上側の採光パネル３の上側の軸部５１０は、第一実施形態と同様、上連結材７０によって縦軸回りに回動自在に支持され、下側の採光パネル３の下側の軸部５１０は、下連結材７１によって縦軸回りに回動自在に支持されている。
【０１２２】
各パネルユニット４Ａの中間連結材７２側に位置する横枠４１（すなわち、上側パネルユニット４Ａの下側の横枠４１、及び下側パネルユニット４Ａの上側の横枠４１）は、左右に長いプレート４３によって構成されている。
【０１２３】
プレート４３の長さ方向の中間部には、上下に貫通する軸部挿通孔４３０が形成されている。各採光パネル３の中間連結材７２側の軸部５１０は、対応するプレート４３の軸部挿通孔４３０に通されており、縦軸回りに回動自在に支持されている。すなわち、横枠４１の軸部挿通孔４３０の周縁部は、採光パネル３の中間連結材７２側の軸部５１０を支持する軸受部を構成している。
【０１２４】
各パネルユニット４Ａの縦枠４２は、金属製であり、詳しくはアルミウム製である。各縦枠４２の水平断面形状は、上下方向に亘って一様である。
【０１２５】
各パネルユニット４Ａの左右の縦枠４２の厚みは、ドア本体２（ドア材６）の厚みよりも小さくなっている。
【０１２６】
図１８に示されるように、戸先側の縦枠４２の採光パネル３側の側面は、前方程戸先側に位置するように湾曲している。この縦枠４２の後側には、採光パネル３側に突出した突出部４２０が形成されている。吊元側の縦枠４２の採光パネル３側の側面は、前方程戸先側に位置するように湾曲している。これにより、当該縦枠４２の前側には採光パネル３側に突出した突出部４２０が形成されている。すなわち、通気開口部２０の両側の内側面には、水平断面において、ドア本体２の厚み方向における一端側から他端側に行く程通気開口部２０の幅方向一端側に位置するように湾曲した曲面４２１が設けられている。なお、図１８に示される曲面４２１は採光パネル３と反対側に凹んだ曲面であるが、採光パネル３側に突出した曲面であってもよい。
【０１２７】
なお、戸先側の縦枠４２の採光パネル３側の側面及び吊元側の縦枠４２の採光パネル３側の側面は、前方程採光パネル３側に位置するように傾斜させてもよい。すなわち、通気開口部２０の両側の内側面には、曲面４２１に代えて、水平断面において前方程戸先側に位置するように傾斜した傾斜面が設けられてもよい。
【０１２８】
上連結材７０及び下連結材７１の夫々のフレーム材７３（図１３参照）の長さ方向の両側部分には、上下方向における採光パネル３と反対側からビス（不図示）が通されている。上連結材７０及び下連結材７１は、これらビスを対応する縦枠４２にねじ込むことにより、両縦枠４２に連結されている。
【０１２９】
各パネルユニット４Ａの中間連結材７２側の横枠４１を構成するプレート４３（図１３参照）の長さ方向の両側部分には、上下方向における採光パネル３と反対側からビス（不図示）が通されている。各パネルユニット４Ａのプレート４３は、これらビスを対応する縦枠４２にねじ込むことで、両縦枠４２に連結されている。
【０１３０】
前記のように、各採光パネル３は、上下の軸部５１０が対応する横枠４１の軸部挿通孔４３０に通されて縦軸回りに回動自在に支持されている。これにより採光パネル３は縦軸回りに回動自在となっている。
【０１３１】
図１０に示されるように、上連結材７０及び下連結材７１の夫々のフレーム材７３の両側端部によって、対応する縦枠４２よりも外側方に向かって突出した連結部４１０が構成されている。これら連結部４１０は、各パネルユニット４Ａの枠体４０の中間連結材７２と反対側の端部から外側方に向かって突出している。
【０１３２】
パネルユニット４Ａは、中間連結材７２の上方と下方の夫々において、左右のドア材６の間に配置されている。図１８に示されるように、各パネルユニット４Ａの左右の縦枠４２の採光パネル３と反対側の側端部は、対応するドア材６の凹溝部６３に挿入され、嵌め込まれている。すなわち、本実施形態では、両ドア材６、上連結材７０、及び中間連結材７２で構成された前後方向に貫通する開口部分の両側の内側面に、左右の縦枠４２が設けられている。
【０１３３】
各パネルユニット４Ａの左右の縦枠４２は、ドア本体２の厚みの範囲内に納めて設けられている。なお、本実施形態の左右の縦枠４２の厚みは、ドア本体２の厚みの１／２よりも大きいが、第一実施形態の縁隠し材８と同様、ドア本体２の厚みの１／２以下の寸法であってもよい。また、各パネルユニット４Ａの左右の縦枠４２の大部分は、凹溝部６３よりも内側（採光パネル３側）に向かって突出している。
【０１３４】
図１６に示されるように、各パネルユニット４Ａの枠体４０の左右の連結部４１０は、対応するドア材６の嵌込溝部６２に嵌め込まれている。
【０１３５】
各パネルユニット４Ａは、例えばドア本体２に取り付けられる前に予め組立てられ、両ドア材６が中間連結材７２で連結された後に、中間連結材７２の上下に形成された、両ドア材６の間の空間に、上下方向における中間連結材７２と反対側から挿入される。このとき、両縦枠４２は、対応する凹溝部６３に中間連結材７２と反対側から挿入される。また、各パネルユニット４Ａの左右の連結部４１０は、対応する嵌込溝部６２に中間連結材７２と反対側から挿入される。
【０１３６】
各パネルユニット４Ａの左右の連結部４１０には、上下方向における採光パネル３と反対側からビス７５が通されている。これらビス７５は、対応するドア材６にねじ込まれている。これにより上側パネルユニット４Ａの上連結材７０及び下側パネルユニット４Ａの下連結材７１は、両ドア材６に連結されている。
【０１３７】
図１３に示される各パネルユニット４Ａのプレート４３は、中間連結材７２の対応する凹部７２４に挿入され、当該凹部７２４の奥面部に接触した状態で配置される。各パネルユニット４Ａのプレート４３に対向する遮蔽部５１２は、図１９に示されるように中間連結材７２の対応する凹部７２４に挿入されている。各採光パネル３が縦軸回りに回動されたとき、中間連結材７２の凹部７２４に挿入された遮蔽部５１２は、図１９に示されるように軸部５１０を中心に回動する。なお、これら遮蔽部５１２は、上下方向において両幕板材７２３の縁部よりも（凹部７２４よりも）透光板３０側に向かって僅かに突出している。
【０１３８】
ところで、採光パネル３をスムーズに回動させるには、遮蔽部５１２とプレート４３の間に僅かな隙間を設ける必要がある。ところが、このような隙間を設けた場合、採光パネル３とプレート４３の間から光漏れが生じる可能性がある。そこで、本実施形態では、遮蔽部５１２が中間連結材７２の凹部７２４に挿入され、遮蔽部５１２に設けられた軸部５１０が凹部７２４の奥部に設けられたプレート４３の軸部挿通孔４３０の周縁部によって回動自在に支持されている。このため、採光パネル３とプレート４３の間に形成された隙間の前方部及び後方部を凹部７２４の前後の壁部によって覆うことができ、前記光漏れが生じ難くなっている。同様に、上連結材７０及び下連結材７１の夫々の凹部７２４に挿入された遮蔽部５１２も、前記光漏れを防止することができるようになっている。
【０１３９】
各採光パネル３のパネル部３１（上下両端部に位置する遮蔽部５１２の間の部分）は、透光板３０、両縦枠材５０、及び両横枠材５１の固定部５１１で構成されており、略縦長板状に形成されている。各採光パネル３は、図１８（ｂ）に示されるように開位置に配置されたとき、パネル部３１が、ドア本体２よりも前後方向の外側に突出するように構成されている。このため、各採光パネル３は、開位置に配置されたときに操作しやすくなっている。また、各採光パネル３が開位置に配置されたときには、通気開口部２０を大きく開放して効率よく部屋の換気を行えるようになっている。
【０１４０】
本実施形態における軸受ユニット９は、図１６に示されるように、断面溝形のフレーム材７３に収納され、フレーム材７３の底部に沿って配置されている。
【０１４１】
上連結材７０及び下連結材７１の夫々のフレーム材７３には、図１１に示されるように、軸受ユニット９をフレーム材７３に固定するための固定具９８が収納されている。各固定具９８には、採光パネル３と反対側に突出した溝形（断面略Ｕ字状）の嵌込部９８０が形成されている。嵌込部９８０には軸受ユニット９が嵌め込まれている。
【０１４２】
固定具９８の左右両端部には、採光パネル３と反対側からビス９８１が通されている。これらビス９８１は、フレーム材７３を通して対応するドア材６にねじ込まれている。これにより、固定具９８は両ドア材６に固定されている。両ドア材６に固定された固定具９８は、軸受ユニット９を採光パネル３側に押圧している。これにより、軸受ユニット９は、フレーム材７３に対して固定されている。
【０１４３】
上側の採光パネル３の上側の軸部５１０は、上連結材７０のフレーム材７３の前記軸部挿通孔、及び上連結材７０に設けられた軸受ユニット９の挿通孔９１０を通して上方に突出し、この軸受ユニット９のアーム９３に連結されている。また、下側の採光パネル３の下側の軸部５１０は、下連結材７１のフレーム材７３の前記軸部挿通孔、及び下連結材７１に設けられた軸受ユニット９の挿通孔９１０を通して下方に突出し、この軸受ユニット９のアーム９３に連結されている。
【０１４４】
各採光パネル３の回動範囲は、対応する軸受ユニット９の回動規制面９１２によって、図１８（ａ）に示される閉位置から図１８（ｂ）に示される開位置までの範囲に制限されている。
【０１４５】
本実施形態では、各採光パネル３が閉位置に配置されたとき、図１８（ａ）に示されるように、採光パネル３と、通気開口部２０の両側の内側面（両縦枠４２）の間に、隙間４４が形成されるように構成されている。なお、この隙間４４は冷気が漏れない程度の僅かな隙間である。このような隙間４４を形成することで、パネルユニット４Ａに多少の組立誤差が生じた場合でも、採光パネル３を閉位置に配置したときに、高さ方向のいずれかの位置で縦枠４２（通気開口部２０の側面）と採光パネル３が当たり難くなる。このため、閉位置に配置された採光パネル３を、ドア本体２の幅方向と平行な状態にすることができる。
【０１４６】
また、各採光パネル３が開位置に配置されたとき、図１８（ｂ）に示されるように、採光パネル３は、両縦枠４２の採光パネル３側の側面と大略平行になる。
【０１４７】
また、本実施形態の各レバーハンドル１０のレバー部１００は、図９に実線で示された非回動位置から図９に二点鎖線で示された回動位置までの範囲で回動自在となっている。前記回動位置に配置されたレバー部１００は、吊元側斜め下方に向かって突出する。また、本実施形態のレバー部１００の回動範囲は、中間連結材７２の上下幅内に納められている。このため、レバーハンドル１０は、採光パネル３を開閉する利用者にとって邪魔になり難い。
【０１４８】
本実施形態のドア１は、縁隠し材８が通気開口部２０の両側に設けられ、各縁隠し材８の採光パネル３側の側面に、ドア本体２の厚み方向における一端側から他端側に行く程通気開口部２０の幅方向一端側に位置する曲面４２１が設けられている。このように各縁隠し材８に曲面４２１が設けられることで、多少の組立誤差や寸法誤差や等があった場合にも、採光パネル３が閉位置と開位置との間で回動するときに縁隠し材８に接触し難くすることができる。なお、各縁隠し材８には、曲面４２１に代えてドア本体２の厚み方向における一端側から他端側に行く程通気開口部２０の幅方向一端側に位置する傾斜面が設けられてもよい。
【０１４９】
なお、第一実施形態における各レバーハンドル１０も、本実施形態のレバーハンドル１０と同様、レバー部１００の回動範囲が中間連結材７２の上下幅内に納められるようにしてもよい。
【０１５０】
また、本実施形態及び一実施形態における透光板３０は、合わせガラスに限られず、一枚の板ガラスであってもよい。また、本実施形態及び一実施形態における透光板３０は、アクリル樹脂等のその他の透明な材料で形成されてもよい。
【０１５１】
また、この他、本実施形態の第一実施形態と異なる点は、第一実施形態に適用してもよい。また、第一実施形態において第二実施形態と異なる点も第一実施形態に適用してもよい。
【０１５２】
（第三実施形態）
次に前記各実施形態とは異なる第三実施形態について説明する。なお、以下の説明では、第二実施形態と共通の機能を有する構成については、第二実施形態と同じ名称及び同じ符号を用いて説明し、第二実施形態で説明した事項と重複する事項については説明を省略する。
【０１５３】
第一実施形態及び第二実施形態では、各軸受ユニット９のアーム９３の回動範囲を規制することで、採光パネル３の回動範囲を規制した。しかし、本実施形態では、回動規制面９１２とその他の手段、またはその他の手段のみで、採光パネル３の回動範囲を規制している。
【０１５４】
前記その他の手段としては、例えば図２０に示されるように第二実施形態における採光パネル３の遮蔽部５１２を利用して、採光パネル３の回動範囲を制限する方法が挙げられる。
【０１５５】
図２０に示される本実施形態の遮蔽部５１２は、平面視でその長さ方向と平行な中心線に対して略対称な六角形状に形成されている。遮蔽部５１２の長さ方向の両端部は、長さ方向の外側に行く程幅が徐々に小さくなっている。
【０１５６】
遮蔽部５１２の長さ方向の両端部の前後面は、平面視で遮蔽部５１２の長さ方向に対して傾斜した規制部５１４となっている。このうち、遮蔽部５１２の吊元側且つ前側の規制部５１４及び戸先側且つ後側の規制部５１４は、採光パネル３が閉位置に配置されたときに、図２０に実線で示されるようにドア本体２の幅方向と平行になる。また、遮蔽部５１２の戸先側且つ前側の規制部５１４及び吊元側且つ後側の規制部５１４は、採光パネル３が開位置に配置されたときに、図２０に二点鎖線で示されるように、ドア本体２の幅方向と平行になる。
【０１５７】
遮蔽部５１２は、規制部５１４が対応する凹部７２４の内面に当接することで、軸部５１０回りの回動の範囲が規制される。すなわち、採光パネル３が閉位置まで回動させられると、遮蔽部５１２は、図２０中実線で示されるように吊元側且つ前側の規制部５１４が凹部７２４の前面に当たり、戸先側且つ後側の規制部５１４が凹部７２４の後面に当たる。また、採光パネル３が開位置まで回動させられると、遮蔽部５１２は、図２０中二点鎖線で示されるように戸先側且つ前側の規制部５１４が凹部７２４の前面に当たり、吊元側且つ後側の規制部５１４が凹部７２４の後面に当たる。同様に、各採光パネル３の中間連結材７２と反対側の横枠材５１が有する遮蔽部５１２も、規制部５１４が対応する連結材７０、７１の凹部７２４の内面に当たることで、その回動範囲が規制される。従って、採光パネル３は、閉位置から開位置までの範囲でのみ回動できるようになる。
【０１５８】
なお、各採光パネル３は、上下いずれか一方の遮蔽部５１２のみが対応する凹部７２４によって回動範囲が規制されるものあってもよい。
【０１５９】
また、第二実施形態の採光パネル３にあっては、第三実施形態の採光パネル３と比較して以下の利点を有している。すなわち、第二実施形態の採光パネル３が閉位置まで回動されたときには、図１９中実線で示されるように遮蔽部５１２の吊元側且つ前側の規制部５１４が凹部７２４の前面に僅かな隙間を介して対向する。この際、戸先側且つ後側の規制部５１４も凹部７２４の後面に僅かな隙間を介して対向する。また、採光パネル３が開位置まで回動されると、遮蔽部５１２は、図１９中二点鎖線で示されるように戸先側且つ前側の規制部５１４が凹部７２４の前面に僅かな隙間を介して対向する。この際、吊元側且つ後側の規制部５１４は、凹部７２４の後面に僅かな隙間を介して対向する。従って、第二実施形態における採光パネル３にあっては、組立誤差等により採光パネル３の位置に多少のばらつきが生じた場合にも、閉位置に配置された採光パネル３をドア本体２の幅方向と平行に配置することが可能になる。
【０１６０】
なお、本実施形態（第三実施形態）の遮蔽部５１２を利用した、採光パネル３の回動範囲の規制する手段は、第一実施形態に適用しても構わない。この場合、第一実施形態の回動規制面９１２による回動範囲の規制に加えて本実施形態の回動規制手段を設けてもよいし、第一実施形態の回動規制面９１２による回動範囲の規制に代えて本実施形態の回動規制手段を設けてもよい。
【０１６１】
（第四実施形態）
次に前記各実施形態とは異なる第四実施形態について説明する。なお、以下の説明では、第一実施形態と共通の機能を有する構成については、第一実施形態と同じ名称及び同じ符号を用いて説明し、第一実施形態で説明した事項と重複する事項については説明を省略する。
【０１６２】
前記各実施形態では、採光パネル３を、透光板３０とパネル枠５で構成したが、本実施形態では、図２１に示されるように、採光パネル３が透光板３０で構成されている。すなわち、本実施形態では、パネル枠５が省略されている。また、図示は省略するが、透光板３０の上下両端部に軸部５１０が設けられている。
【０１６３】
本実施形態の透光板３０の水平断面形状は、上下方向に亘って一様である。具体的に、透光板３０の水平断面形状は平行四辺形状であり、透光板３０が閉位置に配置されたとき、透光板３０の両端面は、後方程戸先側に位置するように傾斜する。また、図２１に示されるように、採光パネル３が開位置に配置されたとき、透光板３０の戸先側の端面は、ドア本体２の前面と平行になり、ドア本体２の前面と前後方向において同じ位置に配置される。また、採光パネル３が開位置に配置されたとき、透光板３０の吊元側の端面はドア本体２の後面と平行になり、ドア本体２の後面と前後方向において同じ位置に配置される。
【０１６４】
なお、第二実施形態及び第三実施形態においても、本実施形態のように採光パネル３を透光板３０で構成しても構わない。
【０１６５】
（第五実施形態）
次に前記各実施形態とは異なる第五実施形態について説明する。なお、以下の説明では、第一実施形態と共通の機能を有する構成については、第一実施形態と同じ名称及び同じ符号を用いて説明し、第一実施形態で説明した事項と重複する事項については説明を省略する。
【０１６６】
本実施形態のドア１の各採光パネル３は、図２２に示されるように、透光板３０と、透光板３０の上下両端部に設けられた縁材３２とで構成されている。
【０１６７】
本実施形態の採光パネル３は、透光板３０が合成樹脂製である。詳しくは、透光板３０は、透明なアクリル樹脂等によって形成された押出成形品である。このように透光板３０を合成樹脂製で且つ押出成型品とすることで、寸法精度の優れた透光板３０を簡単に形成することができる。
【０１６８】
また、透光板３０の水平断面形状は、上下方向に亘って一様である。この透光板３０は、図２３に示されるように水平断面形状が平行四辺形状に形成されており、その幅方向の両端面は、後方程戸先側に位置するように傾斜している。すなわち、透光板３０の幅方向の両端面は、通気開口部２０の両側の内側面に設けられた曲面４２１又は傾斜面と反対方向に傾斜している。
【０１６９】
図２２に示される採光パネル３の上下の縁材３２は、遮光性を有する不透明な部材である。各縁材３２は例えば合成樹脂製あるいは金属製である。各縁材３２は、上下方向における透光板３０側に開口したキャップで構成されている。
【０１７０】
各縁材３２は、沿片部３２０、軸部５１０、及び周壁部３２１を備えている。沿片部３２０は、透光板３０の長手方向の端面に沿って配置されている。軸部５１０は、沿片部３２０と一体に形成されている。軸部５１０は、沿片部３２０の長さ方向における中心部から上下方向における透光板３０側とは反対側に突出している。
【０１７１】
周壁部３２１は、沿片部３２０の周縁部から上下方向における透光板３０側に向かって突出している。周壁部３２１の内側には、透光板３０側に開口した凹部が形成されている。この凹部には、透光板３０の長手方向の端部が嵌め込まれている。すなわち、各縁材３２は、透光板３０の長手方向の端部に外側から嵌め付けられている。
【０１７２】
沿片部３２０には、上下に貫通するビス用孔（不図示）が形成されている。各ビス用孔には、上下方向における透光板３０側と反対側からビス５２が通されている。各ビス５２は透光板３０の長手方向の端部にねじ込まれている。これにより縁材３２は前記凹部に透光板３０の長手方向の端部を嵌め込んだ状態で、透光板３０に取り付けられている。
【０１７３】
各縁材３２の沿片部３２０及び周壁部３２１は、各ビス５２がねじ込まれた透光板３０の長手方向の端部を覆っている。このため、押出成形により透光板３０を形成した場合には、押出成形後に切断された透光板３０の長手方向の端面を縁材３２の沿片部３２０で覆い隠すことができる。
【０１７４】
また、縁材３２が無い場合、各ビス５２の透光板３０へのねじ込み部分は、透光性を有する透光板３０を通して視認される可能性がある。しかし、本実施形態では、上下方向において、各ビス５２の透光板３０へのねじ込み部分が、縁材３２の沿片部３２０から周壁部３２１の先端までの範囲内に納められている。このため、各ビス５２の透光板３０へのねじ込み部分を沿片部３２０や周壁部３２１で覆って外部から視認されないようにし、採光パネル３の外観を良くすることができる。なお、透光板３０において縁材３２が設けられた長手方向の両端部以外の部分は露出している。
【０１７５】
本実施形態では、採光パネル３が、透光性を有する縦長の透光板３０と、透光板３０の上下両端部に取り付けられた縁材３２とを備え、各縁材３２にドア本体２に対して縦軸回りに回動自在に支持される被支持部（軸部５１０）が設けられている。このため、透光板３０を有する採光パネル３に簡単に被支持部を形成することができる。
【０１７６】
また、透光板３０は、本実施形態のように合成樹脂製であって且つ押出成形品であることが好ましい。このようにすることで寸法精度の優れた透光板３０を簡単に形成することができる。
【０１７７】
また、縁材３２が、透光板３０の上下方向の端部の外側に嵌め込まれる合成樹脂製のキャップであり、被支持部が縁材３２に一体に形成された軸部５１０であることが好ましい。このように合成樹脂製の縁材３２に軸部５１０を一体に形成することで、軸部５１０を簡単に形成することができる。また、キャップである縁材３２によって、透光板３０の上下方向の端部を収まり良く覆って外観を良くすることもできる。
【０１７８】
なお、本実施形態の採光パネル３の透光板３０は合成樹脂製であるが、第一実施形態と同様、ガラス製であってもよい。また、本実施形態の採光パネル３は、第二実施形態及び第三実施形態の採光パネル３として用いても構わない。
【０１７９】
（第六実施形態）
次に前記各実施形態とは異なる第六実施形態について説明する。なお、以下の説明では、第二実施形態と共通の機能を有する構成については、第二実施形態と同じ名称及び同じ符号を用いて説明し、第二実施形態で説明した事項と重複する事項については説明を省略する。
【０１８０】
図２４には、本実施形態のドア１の正面図が示されている。また、図２５には本実施形態のドア１の通気開口部２０における水平断面図が示されている。なお、図２４ではレバーハンドル１０の図示を省略している。
【０１８１】
本実施形態のドア１は、ドア本体２、パネルユニット４Ａ、及び複数の押さえ部材１１を備えている。
【０１８２】
本実施形態のドア本体２は一枚のフラットな板材で構成されている。図２４に示されるように、ドア本体２には、パネルユニット４Ａが嵌め込まれる嵌込孔２１が形成されている。嵌込孔２１は、例えばドア本体２の一部を切除して形成される。
【０１８３】
嵌込孔２１はドア本体２を前後方向に貫通している。本実施形態の嵌込孔２１は縦長矩形状である。嵌込孔２１はドア本体２の戸先側部分における上端部と下端部の間に亘って形成されている。
【０１８４】
パネルユニット４Ａは、ドア本体２の嵌込孔２１に嵌め込まれている。図２６には本実施形態のパネルユニット４Ａが示されている。
【０１８５】
パネルユニット４Ａは、複数の採光パネル３、枠体４０、及び複数の機構部（軸受ユニット９（図２７、図２８参照））を備えている。
【０１８６】
枠体４０はドア本体２の嵌込孔２１と略同じ上下長さを有している。枠体４０は、図２４に示されるように嵌込孔２１に嵌め込まれている。枠体４０は、アルミニウム等の金属、合成樹脂、あるいは木材等から形成される。図２６に示されるように、本実施形態の枠体４０は、複数の横枠４１と、複数の縦枠４２を備えている。
【０１８７】
本実施形態の枠体４０は、上下に間隔を介して並べて配置された３本の横枠４１と、最下に位置する横枠４１を除く各横枠４１の左右両側端部の夫々の下方に配置された４本の縦枠４２とを備えている。
【０１８８】
以下、３つ横枠４１を区別する場合、最上に位置する横枠４１を第一横枠４１Ａと記載し、最下に位置する横枠４１を第二横枠４１Ｂと記載し、第一横枠４１Ａと第二横枠４１Ｂの間に位置する横枠４１を第三横枠４１Ｃと記載する。
【０１８９】
枠体４０は第一横枠４１Ａがドア本体２の嵌込孔２１の上縁部に沿って配置され、上方への移動が規制されている。また、枠体４０は、第二横枠４１Ｂがドア本体２の嵌込孔２１の下縁部に沿って配置され、下方への移動が規制されている。
【０１９０】
各縦枠４２は、上方に位置する横枠４１の側端部と、下方に位置する横枠４１の側端部とに接続されている。これにより、枠体４０には、上下に並ぶ２本の横枠４１と、左右に並ぶ２本の縦枠４２とで構成された通気開口部２０が上下に並べて形成されている。
【０１９１】
各縦枠４２の水平断面形状は、上下方向に亘って一様である。図２５に示されるように各縦枠４２の水平断面の形状は、第二実施形態の縦枠４２と同様である。
【０１９２】
図２６に示されるように、枠体４０の複数の通気開口部２０の夫々には、採光パネル３が配置されている。図示は省略するが、各採光パネル３は、第一実施形態の採光パネル３と略同じ構成を有している。ただし、本実施形態の採光パネル３の各横枠材５１には遮蔽部５１２は設けられていない。図示は省略するが、各採光パネル３の上下の軸部５１０は、対応する横枠４１に縦軸回りに回動自在に支持されている。
【０１９３】
本実施形態のパネルユニット４Ａは、各採光パネル３に作用する機構部を備えている。具体的に本実施形態では、上方及び下方に通気開口部２０が形成された第三横枠４１Ｃに、機構部として図２７又は図２８に示す２つの軸受ユニット９が内装されている。すなわち、本実施形態では、枠体４０において上下に並ぶ通気開口部２０の間の部分に機構部が設けられている。
【０１９４】
各軸受ユニット９の構成は第二実施形態の軸受ユニット９と同様である。両軸受ユニット９のうち、上方に配置された軸受ユニット９は、第三横枠４１Ｃ上方の通気開口部２０に配置された採光パネル３に連結されてこの採光パネル３に作用する。また、両軸受ユニット９のうち、下方に配置された軸受ユニット９は、第三横枠４１Ｃ下方の通気開口部２０に配置された採光パネル３に連結されてこの採光パネル３に作用する。
【０１９５】
ここで、図２７に示す２つの軸受ユニット９のうち、上側に配置された軸受ユニット９は対応する上側の採光パネル３のみに作用し、下側に配置された軸受ユニット９は対応する下側の採光パネル３のみに作用する。すなわち、各軸受ユニット９は、対応する採光パネル３にのみ作用し、各採光パネル３が独立して駆動するように構成されている。これに対して、図２８に示す２つの軸受ユニット９は、両軸受ユニット９の連動部９３１同士がピン９９で接続されて一つのユニットが構成されており、これにより上下両方の採光パネル３が連動して駆動するように構成されている。
【０１９６】
なお、図２８に示す例では、各軸受ユニット９の連動部９３１に対して一対一でダンパー９４と付勢部材９５が設けられているが、両ダンパー９４のうちの一方や、両付勢部材９５のうちの一方は省略可能である。
【０１９７】
また、各採光パネル３を駆動する軸受ユニット９は、例えば上側の採光パネル３を駆動する軸受ユニット９を第一横枠４１Ａに設け、下側の採光パネル３を駆動する軸受ユニット９を第二横枠４１Ｂに設けてもよい。また、上側の採光パネル３を駆動する軸受ユニット９を第一横枠４１Ａに設け、下側の採光パネル３を駆動する軸受ユニット９を第三横枠４１Ｃに設けてもよい。また、上側の採光パネル３を駆動する軸受ユニット９を第三横枠４１Ｃに設け、下側の採光パネル３を駆動する軸受ユニット９を第二横枠４１Ｂに設けてもよい。
【０１９８】
パネルユニット４Ａは、ドア本体２に取り付けられる前に予め組立てられ、この後、図２５に示されるように嵌込孔２１に嵌め込まれる。
【０１９９】
パネルユニット４Ａの前方及び後方には、押さえ部材１１が設けられている。以下、必要に応じて、パネルユニット４Ａの前側に配置された左右の押さえ部材１１を前押さえ部材１１と記載し、パネルユニット４Ａの後側に配置された左右の押さえ部材１１を後押さえ部材１１と記載する。
【０２００】
各押さえ部材１１は、アルミニウム等の金属、合成樹脂、又は木材等から形成される。
【０２０１】
図２４に示されるように、各押さえ部材１１は縦長矩形状に形成されている。各押さえ部材１１は嵌込孔２１に嵌め込まれて、その外周面が嵌込孔２１の内周面に沿っている。各押さえ部材１１は、パネルユニット４Ａと略同じ上下長さを有しており、嵌込孔２１の上下全長に亘っている。
【０２０２】
図２５に示されるように、前押さえ部材１１の左右両側の前端部、及び後押さえ部材１１の左右両側の後端部には、外側方に向かって突出した突片部１１０が形成されている。前押さえ部材１１の両突片部１１０は、ドア本体２の前面に沿って配置されている。後押さえ部材１１の両突片部１１０は、ドア本体２の後面に沿って配置されている。
【０２０３】
前押さえ部材１１と後押さえ部材１１のうちの一方は、パネルユニット４Ａが嵌込孔２１に嵌め込まれる前にドア本体２に固定され、他方はパネルユニット４Ａが嵌込孔２１に嵌め込まれた後にドア本体２に固定される。これにより、パネルユニット４Ａは前押さえ部材１１によって前方への移動が規制され、後押さえ部材１１によって後方への移動が規制される。
【０２０４】
なお、各押さえ部材１１のドア本体２への固定は、接着やビス等の固着具を用いて行われる。また、パネルユニット４Ａは、ドア本体２や押さえ部材１１に対して固定されてもよいし、固定されなくてもよい。
【０２０５】
また、本実施形態の各押さえ部材１１は、上下左右の辺部を枠状に一体に形成されたものであるが、各辺部は別体であってもよい。また、パネルユニット４Ａの左右両側端部の夫々の前方及び後方に、上下に延びる押さえ部材１１を夫々設け、これら押さえ部材１１をドア本体２に固定し、これら押さえ部材１１でパネルユニット４Ａの前後を押さえてもよい。
【０２０６】
以上説明した本実施形態のドア１は、以下に示す特徴を有している。ドア１はパネルユニット４Ａを備える。パネルユニット４Ａは採光パネル３を複数備え且つ枠体４０を備える。枠体４０に通気開口部２０が上下に複数並べて設けられる。複数の通気開口部２０の夫々に採光パネル３が配置されてこれら採光パネル３の夫々が枠体４０に縦軸回りに回動自在に支持される。枠体４０に複数の採光パネル３の夫々に作用する機構部（軸受ユニット９）が設けられる。ドア本体２に前後方向に貫通する嵌込孔２１が形成される。嵌込孔２１に枠体４０が嵌め込まれてパネルユニット４Ａがドア本体２に固定されることで、複数の通気開口部２０と複数の採光パネル３がドア本体２に設けられる。
【０２０７】
この特徴を有するドア１は、複数の採光パネル３、枠体４０、及び機構部をユニット化したパネルユニット４Ａを、ドア本体２に形成された嵌込孔２１に嵌め込んで固定するだけで、複数の採光パネル３及び機構部を容易に設けることができる。
【０２０８】
また、ドア１は本実施形態のように以下に示す特徴を有することが好ましい。機構部が枠体４０において上下に並ぶ通気開口部２０の間の部分に設けられる。機構部が上下に並ぶ通気開口部２０の夫々に配置された採光パネル３に作用するように構成されている。
【０２０９】
この特徴を有するドア１は、機構部を枠体４０において上下に並ぶ通気開口部２０の間の部分にまとめて設けることができる。また、本実施形態のように、上下の採光パネル３を連動させる機構部、あるいは上下の採光パネル３に対して独立して作用する機構部を適宜選択して設けることもできる。
【０２１０】
なお、本実施形態の採光パネル３は遮蔽部５１２を備えていないが、第二実施形態の採光パネル３と同様に遮蔽部５１２を備えてもよい。勿論、この場合、遮蔽部５１２に対応する横枠４１には、第一実施形態や第二実施形態と同様の凹部７２４が設けられる。
【０２１１】
また、パネルユニット４Ａは、枠体４０に通気開口部２０が一つだけ形成され、この通気開口部２０に採光パネル３が一枚だけ設けられてもよい。また、パネルユニット４Ａは、枠体４０に通気開口部２０が３つ以上形成され、これら通気開口部２０の夫々に採光パネル３が設けられてもよい。
【０２１２】
また、第二実施形態以外の各実施形態の構成を本実施形態に適用しても構わない。
【０２１３】
また、第六実施形態以外の前記各実施形態におけるドア材６は、水平断面矩形状の板を芯材としたものや、無垢材等であってもよい。また、第六実施形態以外の前記各実施形態における上連結材７０及び下連結材７１は、フレーム材７３と化粧シート材７４で構成されるものに限られず、例えば木製であってもよい。
【０２１４】
また、参考例となるが、各実施形態における採光パネル３（透光板３０）は、透光性を有さないパネルであってもよい。また、採光パネル３を構成する透光板３０は、例えばアルミニウム等の金属や木材から形成されてもよい。
【０２１５】
また、前記各実施形態における採光パネル３の軸部５１０の軸心は、透光板３０の幅方向における中心よりもやや外側にずれた位置に存在してもよい。
【０２１６】
また、前記各実施形態における軸受ユニット９の付勢部材９５はコイルばね以外の弾性体であってもよい。また、ダンパー９４もオイルダンパーやシリンダーダンパーに限られるものではなく、ロータリーダンパー等、従来から知られている他のダンパーを用いてもよい。
【０２１７】
また、前記各実施形態では、軸受ユニット９の連動部９３１を採光パネル３の回動中心よりも戸先側に配置したが、吊元側に配置してもよい。すなわち、この場合は、各軸受ユニット９が前記各実施形態に示したものと左右対称になる。
【０２１８】
また、前記各実施形態の機構部は軸受ユニット９に限られず、採光パネル３に回動力を付与したり、採光パネル３の回動に制限を加える機構であってもよい。機構部は、例えば、各採光パネル３を平面視で所定角度（例えば４５度）間隔で保持するラッチ機構であってもよい。このようなラッチ機構は、採光パネル３を開位置と閉位置の間において任意の角度に保持することができ、採光パネル３の開き角度を調節することができる。
【０２１９】
また、前記各実施形態において、ドア本体２に設けられる採光パネル３の数は二枚に限られるものではない。例えば、ドア本体２の上下方向の略全長に亘るように、採光パネル３が一枚あるいは三枚以上設けられてもよい。また、前記各実施形態では、上下複数の採光パネル３を一列だけ設けたが、上下複数の採光パネル３を複数列設けてもよい。
【０２２０】
また、前記各実施形態では、本発明を開き戸に適用した例について説明したが、開き戸以外の他のドアにも適用可能である。前記他のドアとしては、引き戸（間仕切りとして用いられるものも含む）、クローゼットや押し入れ等の収納の前面に設けられる収納用建具等が挙げられる。
【０２２１】
また、この他、本発明は上述した各実施形態に限定されるものではなく、本発明の趣旨を逸脱しない範囲内で適宜設計変更可能である。
【符号の説明】
【０２２２】
１  ドア
２  ドア本体
２０  通気開口部
３  採光パネル
３０  透光板
３２  縁材
４Ａ  パネルユニット
４２１  曲面
５１０  軸部（被支持部）
８  縁隠し材
９１２  回動規制面（回動規制手段）
【図１】
2018053716.tif 000003
【図２】
2018053716.tif 000004
【図３】
2018053716.tif 000005
【図４】
2018053716.tif 000006
【図５】
2018053716.tif 000007
【図６】
2018053716.tif 000008
【図７】
2018053716.tif 000009
【図８】
2018053716.tif 000010
【図９】
2018053716.tif 000011
【図１０】
2018053716.tif 000012
【図１１】
2018053716.tif 000013
【図１２】
2018053716.tif 000014
【図１３】
2018053716.tif 000015
【図１４】
2018053716.tif 000016
【図１５】
2018053716.tif 000017
【図１６】
2018053716.tif 000018
【図１７】
2018053716.tif 000019
【図１８】
2018053716.tif 000020
【図１９】
2018053716.tif 000021
【図２０】
2018053716.tif 000022
【図２１】
2018053716.tif 000023
【図２２】
2018053716.tif 000024
【図２３】
2018053716.tif 000025
【図２４】
2018053716.tif 000026
【図２５】
2018053716.tif 000027
【図２６】
2018053716.tif 000028
【図２７】
2018053716.tif 000029
【図２８】
2018053716.tif 000030